(57)【特許請求の範囲】
【請求項１】
音源側と受音側とを仕切るように立設される防音壁の上端に設置されて該防音壁の上端から受音側に回り込もうとする回折音を吸収するエッジ効果抑制型防音壁用パネルであって、繊維状物よりなる吸音材を通気性を有する保形布で包み込んで上方に向かって受音側及び音源側にそれぞれ傾斜する傾斜面を音源側及び受音側に有する、下端側の幅に対し上端側の幅が狭く、下端から上端に向かって進むにしたがって次第に幅が狭くなる断面楔形状に保形してパネル本体を構成し、このパネル本体を、通気孔を有する保護カバーで覆い、回折音を保護カバーの通気孔から保形布を通して吸音材で吸収するようにしたことを特徴とするエッジ効果抑制型防音壁用パネル。
【請求項２】
保形布は、撥水性を有するガラスクロスからなることを特徴とする請求項１記載のエッジ効果抑制型防音壁用パネル。
【発明の詳細な説明】
【技術分野】
【０００１】
本発明は、防音壁上端での回折音を吸収するエッジ効果抑制型防音壁用パネルに関するものである。
【背景技術】
【０００２】
従来、騒音を防止するために、音源側と受音側とを防音壁で仕切ることは広く一般的に行われている。
しかし、音波には、回折現象、すなわち防音壁の上端から受音側に回り込もうとする性質があるため、防音壁の防音性能を完全に発揮させることができない。
また、防音壁上端での回折音の影響を少なくするためには、防音壁の高さを高くすればよいが、この場合、コストが嵩むとともに、設置場所によっては高さ制限を受けて思うような効果を得ることができない。
【０００３】
そこで、繊維状物よりなる吸音効果の高い吸音材を防音壁の上端に取り付けるようにしたものが提案されている（特許文献１参照）。
また、上記吸音材の吸音効果が高いとされる形状として、上側に向かうほど厚みが薄くなるような傾斜面を有する略三角形状とすることが提案されている（特許文献２参照）。
これらの提案に係る技術によれば、防音壁の上端から受音側に回り込もうとする回折音が吸音材で吸収されるので、優れた防音効果を得ることができる。
【先行技術文献】
【特許文献】
【０００４】
【特許文献１】特公昭５１−４６９６９号公報
【特許文献２】国際公開第２０１２／１０２２７８号
【０００５】
しかしながら、上記特許文献のものでは、吸音材の形状を、吸音効果が高いとされる所定形状に保つための特段の手段が施されていないため、雨風や飛散物等の衝突に晒される屋外での使用において、吸音材を所定形状に保ち続けることが難しく、回折音の吸収効果を長期に亘って安定的に得ることができないという問題点がある。
【発明の概要】
【発明が解決しようとする課題】
【０００６】
本発明は、上記の問題点に鑑み、雨風や飛散物等の衝突に晒される屋外での使用でも、回折音の吸収効果を長期に亘って安定的に得ることができるエッジ効果抑制型防音壁用パネルを提供することを目的とする。
【課題を解決するための手段】
【０００７】
上記目的を達成するため、本発明のエッジ効果抑制型防音壁用パネルは、音源側と受音側とを仕切るように立設される防音壁の上端に設置されて該防音壁の上端から受音側に回り込もうとする回折音を吸収するエッジ効果抑制型防音壁用パネルであって、繊維状物よりなる吸音材を通気性を有する保形布で包み込んで上方に向かって受音側及び音源側にそれぞれ傾斜する傾斜面を音源側及び受音側に有する、下端側の幅に対し上端側の幅が狭く、下端から上端に向かって進むにしたがって次第に幅が狭くなる断面楔形状に保形してパネル本体を構成し、このパネル本体を、通気孔を有する保護カバーで覆い、回折音を保護カバーの通気孔から保形布を通して吸音材で吸収するようにしたことを特徴とする。
【０００８】
この場合において、保形布は、撥水性を有するガラスクロスからなるものとすることができる。
【発明の効果】
【０００９】
本発明のエッジ効果抑制型防音壁用パネルによれば、繊維状物よりなる吸音材を保形布で包み込んで吸音効果が高いとされる所定形状、すなわち上方に向かって受音側及び音源側にそれぞれ傾斜する傾斜面を音源側及び受音側に有する、下端側の幅に対し上端側の幅が狭く、下端から上端に向かって進むにしたがって次第に幅が狭くなる断面楔形状に保形することによってパネル本体が構成され、しかもそのパネル本体が保護カバーで覆われるので、雨風や飛散物等の衝突に晒される屋外での使用でも、回折音の吸収効果を長期に亘って安定的に得ることができる。
また、本発明のエッジ効果抑制型防音壁用パネルを採用することにより、例えば、防音壁の高さが４ｍでも６ｍの減音効果が得られるので、同等の減音効果を得るのに防音壁の高さを従来よりも低くすることができ、コストを削減することができる。
【００１０】
また、保形布は、撥水性を有するガラスクロスからなるものとすることにより、水分が吸音材に浸み込むのを確実に防ぐことができ、吸音材の吸音性能を安定的に保つことができる。
【図面の簡単な説明】
【００１１】
【図１】本発明の一実施形態に係るエッジ効果抑制型防音壁用パネルを備えた防音壁を示す図で、（ａ）は正面図、（ｂ）は左側面図である。
【図２】同エッジ効果抑制型防音壁用パネルを示す図で、（ａ）は正面図、（ｂ）は（ａ）のＸ−Ｘ線断面図、（ｃ）はパネル本体の構造説明図である。
【図３】本発明のエッジ効果抑制型防音壁用パネルを用いた防音構造物の実施例を示す図で、（ａ）は正面図、（ｂ）は左側面図、（ｃ）は背面図である。
【図４】比較例に係る防音構造物を示す図で、（ａ）は比較例１の防音構造物の正面図、（ｂ）は同防音構造物の左側面図、（ｃ）は比較例２の防音構造物の正面図、（ｄ）は同防音構造物の左側面図である。
【図５】防音実験の説明図で、（ａ）は測定点を示す平面図、（ｂ）は測定点を示す側面図である。
【発明を実施するための形態】
【００１２】
次に、本発明のエッジ効果抑制型防音壁用パネルの実施の形態を、図面に基づいて説明する。
【００１３】
＜エッジ効果抑制型防音壁用パネルを備えた防音壁の概略説明＞
図１（ｂ）に示されるように、本発明のエッジ効果抑制型防音壁用パネルを備えた防音壁１は、地盤Ｇ上において、音源２が配される音源側と、音源２からの音を受ける受音側とを仕切るように立設される防音壁３を備え、この防音壁３の上端にエッジ効果抑制型防音壁用パネル４が設置されて構成されている。
図１（ａ）に示されるように、防音壁３は、所要の防音パネル５を組み合わせて構成されている。
防音パネル５としては、図示による詳細説明は省略するが、通気孔を有する保護カバーの内部に、例えば、ポリエステルウールや撥水性グラスウールなどからなる吸音材を充填して構成されるものが好適に用いられる。
また、エッジ効果抑制型防音壁用パネル４は、音源２から発せられる音のうち、防音壁３の上端から受音側に回り込もうとする回折音を吸収する役目をする。
【００１４】
＜エッジ効果抑制型防音壁用パネル４＞
図２（ａ）及び（ｂ）に示されるように、エッジ効果抑制型防音壁用パネル４は、パネル本体１１と、このパネル本体１１を覆って保護する保護カバー１２とを備えて構成されている。
【００１５】
＜パネル本体の説明＞
図２（ｃ）に示されるように、パネル本体１１は、吸音材１３を保形布１４で包み込んで吸音効果が高い所定形状に保形して構成されている。
ここで、吸音材１３としては、例えば、グラスウールやロックウール等の繊維状物が挙げられ、環境面からロックウールを用いるのが好ましく、密度が６４ｋｇ／ｍ３程度のものが好適に用いられる。
また、保形布１４としては、例えば、ガラス繊維で織られたガラスクロスが挙げられ、水分が吸音材１３に浸み込むのを確実に防いで吸音材１３の吸音性能を安定的に保つために、撥水処理を施したものを用いるのが好ましい。
また、吸音効果が高い所定形状としては、例えば、上方に向かって受音側に傾斜する傾斜面１５を音源側に有するとともに、上方に向かって音源側に傾斜する傾斜面１６を受音側に有し、下端側の幅Ｗ１に対し上端側の幅Ｗ２が狭く、下端から上端に向かって進むにしたがって次第に幅が狭くなる断面楔形状で防音壁３の幅方向（図２の紙面を垂直に貫く方向）に所定長さ寸法で延びる形状が挙げられる。
【００１６】
＜保護カバーの説明＞
図２（ａ）及び（ｂ）に示されるように、保護カバー１２は、通気孔１７として機能する丸孔が千鳥状に多数穿設された開口率が約２６〜４６％程度のパンチング板よりなり、パネル本体１１の全体、すなわち音源側の傾斜面１５、頂部１８及び受音側の傾斜面１６の全てを覆うことができる形状に形成されている。
なお、ここでは、保護カバー１２をパンチング板で構成した例を示したが、これに限定されるものではなく、網目状の開口を通気孔として有してなるメッシュ板や、多数の羽根状板部をブラインド状に互いに平行に配置して隣り合う羽根状板部の間に通気孔を形成してなるガラリ板で保護カバー１２を構成してもよい。
【００１７】
＜作用効果の説明＞
以上に述べたように構成されるエッジ効果抑制型防音壁用パネル４を備えた防音壁１によれば、音源２から受音側に向かって発せられる音のうちの大部分が防音壁３によって吸収されるとともに、防音壁３の上端から受音側に回り込もうとする回折音がエッジ効果抑制型防音壁用パネル４によって吸収されるので、優れた防音効果を得ることができる。
しかも、エッジ効果抑制型防音壁用パネル４においては、繊維状物よりなる吸音材１３を保形布１４で包み込んで吸音効果が高いとされる断面楔形状に保形することによってパネル本体１１が構成され、かつそのパネル本体１１が保護カバー１２で覆われるので、雨風や飛散物等の衝突に晒される屋外での使用でも、回折音の吸収効果を長期に亘って安定的に得ることができる。
【実施例】
【００１８】
次に、本発明のエッジ効果抑制型防音壁用パネルの実施例について、図面に基づいて説明する。
【００１９】
図３には、本発明のエッジ効果抑制型防音壁用パネルを備えた防音構造物（防音壁）の実施例を示す図で、正面図（ａ）、左側面図（ｂ）及び背面図（ｃ）がそれぞれ示されている。
図４には、比較例１に係る防音構造物の正面図（ａ）及び左側面図（ｂ）、並びに比較例２に係る防音構造物の正面図（ｃ）及び左側面図（ｄ）がそれぞれ示されている。
【００２０】
＜防音構造物の実施例の説明＞
図３（ａ）に示される防音構造物２０は、図３（ｂ）及び（ｃ）に示されるように、いずれも仮囲い設置用の単管からなる埋込材２１、コロバシ２２、斜材２３、支柱２４及び横地２５が相互に接続されてなる防音壁支持体２６と、この防音壁支持体２６によって起立状態に支持されるエッジ効果抑制型防音壁用パネル４を備えた防音壁１とから構成されている。
【００２１】
＜防音構造物の比較例１の説明＞
図４（ａ）及び（ｂ）に示される防音構造物３０は、上記実施例の防音構造物２０におけるエッジ効果抑制型防音壁用パネル４を省略した構成のものである。
【００２２】
＜防音構造物の比較例２の説明＞
図４（ｃ）及び（ｄ）に示される防音構造物４０は、地盤Ｇ中に構築されたコンクリート基礎４１上に所定の間隔を有して所要のＨ型鋼支柱４２が互いのウェブ面を向かい合わせた状態で設置されてなる防音壁支持体４３と、隣り合うＨ型鋼支柱４２の間に所要の防音パネル４４がＨ型鋼支柱４２のフランジで挟まれるように組み込まれて形成される防音壁４５とを備えて構成されている。
なお、防音パネル４４としては、前述した防音パネル５と同様に、通気孔を有する保護カバーの内部に、例えば、ポリエステルウールや撥水性グラスウールなどからなる吸音材を充填して構成されるものが好適に用いられる。
【００２３】
図５（ａ）に示されるように、上記実施例、比較例１及び２に係る防音構造物２０、３０、４０について、１１４ｍ×９６ｍの空き地に長さ４０ｍの防音壁１、３、４５を設置し、防音壁１、３、４５の設置中心から受音側の２０ｍの範囲に図中記号Ａ〜Ｅで示される５点の測定点を配置するとともに、図５（ｂ）に示されるように、地上１．５ｍから３．５ｍの高さ方向に４点の測定点を配置して、合計２０点の測定点を設けて防音実験を行った。
なお、図５（ａ）及び（ｂ）においては、説明の都合上、防音構造物２０、３０、４０の構成を簡略化して模式的に表わしている。
【００２４】
実験は、音源２としてのラウドスピーカを防音壁１、３、４５から２ｍ離れた位置に設置して試験音を発生させて各測定点で試験音の大きさを測定した。
ラウドスピーカの高さは、ラウドスピーカの中心が地上０．３ｍの位置となるよう設置した。
ラウドスピーカのパワーレベルは、１１７ｄＢ（Ａ）とした。
各防音構造物２０、３０、４０における防音壁１、３、４５の地上高さは、いずれも３．５ｍとして、各測定点で試験音の大きさを比較し、その結果を表１に示した。
【００２５】
【表１】
0005885221.tif 000002
【００２６】
表１から明らかなように、比較例１の防音構造物３０と比較例２の防音構造物４０とでは、測定値が概ね同じ値であり、同等の防音効果を奏するものであることが分かる。
また、エッジ効果抑制型防音壁用パネル４を備えた実施例の防音構造物２０では、比較例１及び２のものと比べて、測定値が３〜５ｄＢ程度小さくなり、エッジ効果抑制型防音壁用パネル４を設けて回折音を吸収することで防音効果が増すことが分かる。
【００２７】
実施例１の防音構造物２０によれば、所要の単管で組み立てられた防音壁支持体２６によって支持される防音壁３にエッジ効果抑制型防音壁用パネル４を取り付けた構成とされているので、設置並びに撤去のいずれもが容易で再利用も可能であり、簡易かつ安価に高性能の防音効果を得ることができる。
比較例２の防音構造物４０にエッジ効果抑制型防音壁用パネル４を取り付ける構成を採用すれば実施例の防音構造物２０と同様の防音効果を得ることができるのは言うまでもないが、この場合、コンクリート基礎４１を構築するためのコンクリート打設等が必要となり、設置費用が嵩むとともに、撤去時にコンクリート基礎４１等が産業廃棄物となり、産廃処理費用が別途発生するため、実施例の防音構造物２０の方がコスト面や環境面で有利であると言える。
【００２８】
以上、本発明のエッジ効果抑制型防音壁用パネルについて、実施形態及び実施例に基づいて説明したが、本発明は上記実施形態等に記載した構成に限定されるものではなく、その趣旨を逸脱しない範囲において適宜その構成を変更することができるものである。
【産業上の利用可能性】
【００２９】
本発明のエッジ効果抑制型防音壁用パネルは、雨風や飛散物等の衝突に晒される屋外での使用でも、回折音の吸収効果を長期に亘って安定的に得ることができるという特性を有していることから、道路工事や建物工事等の工事音が発生する工事現場周辺の音環境の改善の用途に好適に用いることができる。
【符号の説明】
【００３０】
１  エッジ効果抑制型防音壁用パネルを備えた防音壁
２  音源
３  防音壁
４  エッジ効果抑制型防音壁用パネル
１１  パネル本体
１２  保護カバー
１３  吸音材
１４  保形布
１５  傾斜面
１６  傾斜面
２０  防音構造物（防音壁）
２６  防音壁支持体
【図１】
0005885221.tif 000003
【図２】
0005885221.tif 000004
【図３】
0005885221.tif 000005
【図４】
0005885221.tif 000006
【図５】
0005885221.tif 000007